【手続補正書】
【提出日】令和2年4月24日(2020.4.24)
【手続補正１】
【補正対象書類名】特許請求の範囲
【補正対象項目名】全文
【補正方法】変更
【補正の内容】
【特許請求の範囲】
【請求項１】
商品提供者の端末から送信された情報を、商品提供者情報として記録する商品提供者情報記録手段と、
前記商品提供者とは異なる商品受領者の端末から送信された情報を、商品受領者情報として記録する商品受領者情報記録手段と、を備え、
前記商品提供者情報は、
所定の商品の情報と、
該商品と共に提供され、前記商品の品質理解のための第１の付属物の情報と、
前記商品の提供先である前記商品受領者の情報を有し、
前記商品受領者情報は、
前記商品提供者から提供された前記商品の情報と、
前記商品提供者から提供された前記第１の付属物の情報を有する、商品情報管理システムであって、
前記商品受領者情報記録手段は、前記商品受領者情報を前記商品提供者情報と対応させて記録すると共に、
前記商品提供者情報記録手段に前記第１の付属物の情報が記録されると、前記商品提供者情報記録手段に記録された前記商品受領者の情報に基づいて、前記商品提供者情報記録手段に記録された前記第１の付属物の情報を前記商品受領者の端末に送信すべく構成されている
商品情報管理システム。
【請求項２】
前記商品提供者情報の少なくとも一部、若しくは、前記商品受領者情報の少なくとも一部、若しくは、前記商品提供者情報の少なくとも一部及び前記商品受領者情報の少なくとも一部、の情報に基づいて、人工知能により所定の情報をＡＩ情報として記録するＡＩ情報記録手段を備える
請求項１に記載の商品情報管理システム。
【請求項３】
前記商品提供者情報記録手段に記録された商品提供者情報の少なくとも一部、若しくは、前記商品受領者情報記録手段に記録された商品受領者情報の少なくとも一部、若しくは、前記商品提供者情報記録手段に記録された商品提供者情報の少なくとも一部及び前記商品受領者情報記録手段に記録された商品受領者情報の少なくとも一部、の情報に基づいて、人工知能により所定の情報をＡＩ情報として出力するＡＩ情報出力手段を備える
請求項１に記載の商品情報管理システム。
【請求項４】
前記商品受領者情報記録手段は、前記商品提供者情報記録手段とは異なる
請求項１、請求項２または請求項３に記載の商品情報管理システム。
【請求項５】
前記商品提供者情報は、前記商品の提供先である前記商品受領者の情報を有する
請求項１、請求項２、請求項３または請求項４に記載の商品情報管理システム。
【請求項６】
前記商品受領者情報は、前記商品受領者による前記商品提供者から提供された第１の付属物についての保管情報を有する
請求項１、請求項２、請求項３、請求項４または請求項５に記載の商品情報管理システム。
【請求項７】
前記第１の付属物の情報は、前記商品の品質を示す情報であり、前記商品を他の商品から識別するための識別記号を含まない
請求項１、請求項２、請求項３、請求項４、請求項５または請求項６に記載の商品情報管理システム。
【請求項８】
原材料提供者の端末から送信された情報を、原材料情報として記録する原材料情報記録手段と、
前記原材料提供者とは異なる原材料加工者の端末から送信された情報を、加工商品情報として記録する加工商品情報記録手段と、
前記原材料提供者及び前記原材料加工者とは異なる加工商品提供先の端末から送信された情報を、加工商品提供先情報として記録する加工商品提供先情報記録手段と、を備え、
前記原材料情報は、
所定の商品の情報と、
該商品と共に提供され、前記商品の品質理解のための第１の付属物の情報と、
前記商品の提供先である前記原材料加工者の情報であり、
前記加工商品情報は、
前記原材料提供者から提供された前記商品の情報と、
前記原材料提供者から提供された前記第１の付属物の情報と、
前記商品を原材料の少なくとも一部とした所定の加工商品の情報と、
該加工商品と共に提供され、前記加工商品の品質理解のための第２の付属物の情報と、
前記加工商品の提供先である前記加工商品提供先の情報であり、
前記加工商品提供先情報は、
前記原材料加工者から提供された前記加工商品の情報と、
前記原材料加工者から提供された前記第２の付属物の情報である、商品情報管理システムであって、
前記加工商品情報記録手段は、前記加工商品情報を前記原材料情報と対応させて記録し、
前記加工商品提供先情報記録手段は、前記加工商品提供先情報を前記原材料情報及び前記加工商品情報と対応させて記録すると共に、
前記原材料情報記録手段に前記第１の付属物の情報が記録されると、前記原材料情報記録手段に記録された前記原材料加工者の情報に基づいて、前記原材料情報記録手段に記録された前記第１の付属物の情報を前記原材料加工者の端末に送信し、かつ、前記加工商品情報記録手段に前記第２の付属物の情報が記録されると、前記加工商品情報記録手段に記録された前記加工商品提供先の情報に基づいて、前記加工商品情報記録手段に記録された前記第２の付属物の情報を前記加工商品提供先の端末に送信すべく構成されている
商品情報管理システム。
【請求項９】
前記第１の付属物の情報は、前記商品の品質を示す情報であり、前記商品を他の商品から識別するための識別記号を含まず、
前記第２の付属物の情報は、前記加工食品の品質を示す情報であり、前記加工食品を他の加工食品から識別するための識別記号を含まない
請求項８に記載の商品情報管理システム。
【請求項１０】
サービス提供者の端末から送信された情報を、サービス提供者情報として記録するサービス提供者情報記録手段と、
前記サービス提供者とは異なるサービス受領者の端末から送信された情報を、サービス受領者情報として記録するサービス受領者情報記録手段と、を備え、
前記サービス提供者情報は、
所定のサービスの情報と、
該サービスと共に提供され、前記サービスの品質理解のための第１の付属物の情報と、
前記サービスの提供先である前記サービス受領者の情報を有し、
前記サービス受領者情報は、
前記サービス提供者から提供された前記サービスの情報と、
前記サービス提供者から提供された前記第１の付属物の情報を有する、サービス情報管理システムであって、
前記サービス受領者情報記録手段は、前記サービス受領者情報を前記サービス提供者情報と対応させて記録すると共に、
前記サービス提供者情報記録手段に前記第１の付属物の情報が記録されると、前記サービス提供者情報記録手段に記録された前記サービス受領者の情報に基づいて、前記サービス提供者情報記録手段に記録された前記第１の付属物の情報を前記サービス受領者の端末に送信すべく構成されている
サービス情報管理システム。
【請求項１１】
前記サービス提供者情報の少なくとも一部、若しくは、前記サービス受領者情報の少なくとも一部、若しくは、前記サービス提供者情報の少なくとも一部及び前記サービス受領者情報の少なくとも一部、の情報に基づいて、人工知能により所定の情報をＡＩ情報として記録するＡＩ情報記録手段を備える
請求項１０に記載のサービス情報管理システム。
【請求項１２】
前記サービス提供者情報記録手段に記録されたサービス提供者情報の少なくとも一部、若しくは、前記サービス受領者情報記録手段に記録されたサービス受領者情報の少なくとも一部、若しくは、前記サービス提供者情報記録手段に記録されたサービス提供者情報の少なくとも一部及び前記サービス受領者情報記録手段に記録されたサービス受領者情報の少なくとも一部、の情報に基づいて、人工知能により所定の情報をＡＩ情報として出力するＡＩ情報出力手段を備える
請求項１０に記載のサービス情報管理システム。
【請求項１３】
前記サービス受領者情報記録手段は、前記サービス提供者情報記録手段とは異なる
請求項１０、請求項１１または請求項１２に記載のサービス情報管理システム。
【請求項１４】
前記サービス提供者情報は、前記サービスの提供先である前記サービス受領者の情報を有する
請求項１０、請求項１１、請求項１２または請求項１３に記載のサービス情報管理システム。
【請求項１５】
前記サービス受領者情報は、前記サービス受領者による前記サービス提供者から提供された第１の付属物についての保管情報を有する
請求項１０、請求項１１、請求項１２、請求項１３または請求項１４に記載のサービス情報管理システム。
【請求項１６】
前記第１の付属物の情報は、前記サービスの品質を示す情報であり、前記サービスを他のサービスから識別するための識別記号を含まない
請求項１０、請求項１１、請求項１２、請求項１３、請求項１４または請求項１５に記載のサービス情報管理システム。